【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
表示部及び操作部と接続された診断支援のための装置であって、
診断対象についての複数の所見を入力させるための複数の入力ＧＵＩを表示部に表示させる表示制御手段と、
操作部からの入力に応じ前記複数の入力ＧＵＩを介して入力された複数の所見に基づいて推論手段により推論された、前記診断対象に対する推論結果を取得する取得手段と、
前記入力された複数の所見の少なくとも１つの所見による前記推論結果に対する影響に基づいて、前記入力された複数の所見から少なくとも１つの所見を特定する特定手段と、を有し、
前記表示制御手段は、前記複数の入力ＧＵＩの少なくとも１つを介して入力されかつ前記特定された少なくとも１つの所見を、前記複数の入力ＧＵＩの少なくとも１つを介して入力されかつ前記特定手段に特定されていない所見と区別されるように、かつ前記複数の入力ＧＵＩとともに前記表示部に表示させる
ことを特徴とする装置。
【請求項２】
前記表示制御手段は、前記複数の入力ＧＵＩを介して入力された複数の所見を該複数の入力ＧＵＩと対応づけて表示させ、かつ、前記特定された少なくとも１つの所見に対応する入力ＧＵＩの表示形態を変更する
ことを特徴とする請求項１に記載の装置。
【請求項３】
前記少なくとも１つの所見による前記推論結果に対する影響として、該少なくとも１つの所見による前記推論結果に肯定的あるいは否定的に寄与する度合いを、前記推論手段が前記入力された複数の所見を用いて推論することにより得られる確率と該少なくとも１つの所見以外の前記入力された複数の所見を用いて推論することにより得られる確率との差に基づいて決定する決定手段をさらに有することを特徴とする請求項１または２に記載の装置。
【請求項４】
前記表示制御手段は、前記複数の入力ＧＵＩを介して入力された複数の所見を該複数の入力ＧＵＩと対応づけて表示させ、かつ、前記特定された少なくとも１つの所見に対応する入力ＧＵＩにマーカーを付して表示させることを特徴とする請求項１乃至３のいずれか１項に記載の装置。
【請求項５】
前記表示制御手段は、前記複数の入力ＧＵＩを介して入力された複数の所見を該複数の入力ＧＵＩと対応づけて表示させ、かつ、前記複数の入力ＧＵＩの少なくとも１つを介して入力されかつ前記特定された少なくとも１つの所見に対応する入力ＧＵＩの表示属性を変更することを特徴とする請求項１乃至４のいずれか１項に記載の装置。
【請求項６】
前記表示制御手段は、前記入力された複数の所見のうち最も肯定的な影響の大きい入力所見の入力ＧＵＩと最も否定的な影響の大きい入力所見の入力ＧＵＩの表示形態を変更することを特徴とする請求項１乃至５のいずれか１項に記載の装置。
【請求項７】
前記取得手段は、操作部からの入力に応じ前記複数の入力ＧＵＩを介して入力された複数の所見に基づいて推論し前記診断対象に対する推論結果を得る推論手段を有することを特徴とする請求項１乃至６のいずれか１項に記載の装置。
【請求項８】
前記推論手段は、操作部からの入力に応じ前記複数の入力ＧＵＩを介して入力された複数の所見と、前記診断対象についての測定値とに基づいて前記診断対象に対する推論結果を得ることを特徴とする請求項７に記載の装置。
【請求項９】
前記推論手段は、被検者についての診断結果の候補の夫々についての確率を取得し、該確率に基づく前記診断結果の候補の少なくとも１つを前記被検者の推論結果として取得することを特徴とする請求項７または８に記載の装置。
【請求項１０】
前記診断結果の候補の少なくとも１つを選択する選択手段と、を有し、
前記特定手段は、前記入力された複数の所見の少なくとも１つの所見による、前記選択された診断候補に対する影響に基づいて、前記入力された複数の所見から少なくとも１つの所見を特定することを特徴とする請求項１乃至９のいずれか１項に記載の装置。
【請求項１１】
表示部及び操作部と接続された診断支援のための装置であって、
診断対象についての複数の所見を入力させるための複数の入力ＧＵＩを表示部に表示させる表示制御手段と、
操作部からの入力に応じ前記複数の入力ＧＵＩを介して入力された複数の所見に基づいて推論手段により推論された、前記診断対象に対する推論結果を取得する取得手段と、
前記入力された複数の所見の少なくとも１つの所見による前記推論結果に対する影響に基づいて、前記入力された複数の所見から少なくとも１つの所見を特定する特定手段と、を有し、
前記表示制御手段は、前記特定された少なくとも１つの所見に対応する入力ＧＵＩを、前記特定手段に特定されていない所見に対応する入力ＧＵＩとは区別して前記表示部に表示させることを特徴とする装置。
【請求項１２】
前記表示制御手段は、前記特定された少なくとも１つの所見に対応する入力ＧＵＩの表示形態を変更することを特徴とする請求項１乃至１１のいずれか１項に記載の装置。
【請求項１３】
前記表示制御手段は、前記特定された少なくとも１つの所見に対応する入力ＧＵＩにマーカーを付して表示させることを特徴とする請求項１乃至１２のいずれか１項に記載の装置。
【請求項１４】
前記表示制御手段は、前記複数の入力ＧＵＩの少なくとも１つを介して入力されかつ前記特定された少なくとも１つの所見に対応する入力ＧＵＩの表示属性を変更する
ことを特徴とする請求項１乃至１３のいずれか１項に記載の装置。
【請求項１５】
診断支援のためのシステムであって、
表示部と、
操作部と、
診断対象についての複数の所見を入力させるための複数の入力ＧＵＩを前記表示部に表示させる表示制御手段と、
前記操作部からの入力に応じ前記複数の入力ＧＵＩを介して入力された複数の所見に基づいて推論し前記診断対象に対する推論結果を得る推論手段と、
前記入力された複数の所見の少なくとも１つの所見による前記推論結果に対する影響に基づいて、前記入力された複数の所見から少なくとも１つの所見を特定する特定手段と、を有し、
前記表示制御手段は、前記複数の入力ＧＵＩの少なくとも１つを介して入力されかつ前記特定された少なくとも１つの所見を、前記複数の入力ＧＵＩの少なくとも１つを介して入力されかつ前記特定手段に特定されていない所見と区別されるように、かつ前記複数の入力ＧＵＩとともに前記表示部に表示させることを特徴とするシステム。
【請求項１６】
診断支援のためのシステムであって、
表示部と、
操作部と、
診断対象についての複数の所見を入力させるための複数の入力ＧＵＩを前記表示部に表示させる表示制御手段と、
前記操作部からの入力に応じ前記複数の入力ＧＵＩを介して入力された複数の所見に基づいて推論し前記診断対象に対する推論結果を得る推論手段と、
前記入力された複数の所見の少なくとも１つの所見による前記推論結果に対する影響に基づいて、前記入力された複数の所見から少なくとも１つの所見を特定する特定手段と、を有し、
前記表示制御手段は、前記特定された少なくとも１つの所見に対応する入力ＧＵＩを、前記特定手段に特定されていない所見に対応する入力ＧＵＩとは区別して前記表示部に表示させることを特徴とするシステム。
【請求項１７】
表示部と操作部とを有する診断支援システムの動作方法であって、
診断対象についての複数の所見を入力させるための複数の入力ＧＵＩを表示部に表示させるステップと、
操作部からの入力に応じ前記複数の入力ＧＵＩを介して入力された複数の所見に基づいて推論された、前記診断対象に対する推論結果を取得するステップと、
前記入力された複数の所見の少なくとも１つの所見による前記推論結果に対する影響に基づいて、前記入力された複数の所見から少なくとも１つの所見を特定するステップと、
前記複数の入力ＧＵＩの少なくとも１つを介して入力されかつ前記特定された少なくとも１つの所見を、前記複数の入力ＧＵＩの少なくとも１つを介して入力されかつ前記特定されていない所見と区別されるように、かつ前記複数の入力ＧＵＩとともに前記表示部に表示させるステップと、
ことを特徴とする動作方法。
【請求項１８】
前記取得するステップでは、前記操作部からの入力に応じ前記複数の入力ＧＵＩを介して入力された複数の所見に基づいて推論し、前記診断対象に対する推論結果を得る
ことを特徴とする請求項１７に記載の動作方法。
【請求項１９】
表示部と操作部とを有する診断支援システムの動作方法であって、
診断対象についての複数の所見を入力させるための複数の入力ＧＵＩを表示部に表示させるステップと、
操作部からの入力に応じ前記複数の入力ＧＵＩを介して入力された複数の所見に基づいて推論された、前記診断対象に対する推論結果を取得するステップと、
前記入力された複数の所見の少なくとも１つの所見による前記推論結果に対する影響に基づいて、前記入力された複数の所見から少なくとも１つの所見を特定するステップと、
前記特定された少なくとも１つの所見に対応する入力ＧＵＩを、前記特定されていない所見に対応する入力ＧＵＩとは区別して前記表示部に表示させるステップと、
を有することを特徴とする動作方法。
【請求項２０】
前記取得するステップでは、前記操作部からの入力に応じ前記複数の入力ＧＵＩを介して入力された複数の所見に基づいて推論し、前記診断対象に対する推論結果を得ることを特徴とする請求項１９に記載の動作方法。
【請求項２１】
請求項１７乃至２０のいずれか１項に記載の動作方法をコンピュータに実行させるためのプログラム。